(57)【特許請求の範囲】
【請求項１】
少なくとも下半身の一部を被覆し且つ密着する股付きのボトム衣類であって、
着用状態において下腹部を被覆するフロント布と、
着用状態において右大腿部、右臀部及び右腰部を被覆する右大腿部被覆布と、
着用状態において左大腿部、左臀部及び左腰部を被覆する左大腿部被覆布とを備え、
前記右大腿部被覆布は、腰部側の第１の上側端縁と、前記第１の上側端縁と連続的に繋がると共に前記フロント布の右側端縁に対応する第１の端縁と、前記第１の端縁と連続的に繋がる第１の内股側端縁と、前記第１の上側端縁と連続的に繋がる第１の背側端縁と、前記第１の背側端縁と連続的に繋がると共に前記第１の内股側端縁と連結されることで右大腿部を覆う筒状をなす第２の内股側端縁と、前記第１及び第２の内股側端縁と連続的に繋がる第１の下側端縁とを有し、
前記左大腿部被覆布は、腰部側の第２の上側端縁と、前記第２の上側端縁と連続的に繋がると共に前記フロント布の左側端縁に対応する第２の端縁と、前記第２の端縁と連続的に繋がる第３の内股側端縁と、前記第２の上側端縁と連続的に繋がる第２の背側端縁と、前記第２の背側端縁と連続的に繋がると共に前記第３の内股側端縁と連結されることで右大腿部を覆う筒状をなす第４の内股側端縁と、前記第３及び第４の内股側端縁と連続的に繋がる第２の下側端縁とを有し、
前記第１の上側端縁は、前記第１の端縁側の端部と前記第１の下側端縁との距離よりも前記第１の背側端縁側の端部と前記第１の下側端縁との距離の方が長くなるように、前記第１の下側端縁に対して傾けて形成されており、
前記第２の上側端縁は、前記第２の端縁側の端部と前記第２の下側端縁との距離よりも前記第２の背側端縁側の端部と前記第２の下側端縁との距離の方が長くなるように、前記第２の下側端縁に対して傾けて形成されており、
前記フロント布は、前記右大腿部被覆布及び前記左大腿部被覆布よりも伸縮し難く、
前記フロント布の上縁は、前中心と後中心とが重なるようにした状態において、臍よりも下方で且つ背側における右大腿部被覆布及び左大腿部被覆布の上縁よりも下方に位置し、
前記フロント布の右側端縁と該右側端縁に対応する前記右大腿部被覆布の端縁とが連結されることで、大腿部の付根近傍から始まり上方に向かうにつれて外側寄りに向かいつつ腹側における前記上縁に達する右側ダーツが構成され、
前記フロント布の左側端縁と該左側端縁に対応する前記左大腿部被覆布の端縁とが連結されることで、大腿部の付根近傍から始まり上方に向かうにつれて外側寄りに向かいつつ腹側における前記上縁に達する左側ダーツが構成されていることを特徴とするボトム衣類。
【請求項２】
前記フロント布の前記右側端縁及び前記左側端縁は、連結前の状態においてそれぞれ内側に向けて湾曲し、
前記右大腿部被覆布は、連結前の状態において、前記フロント布の前記右側端縁に対応する前記端縁が外側に向けて湾曲し、
前記左大腿部被覆布は、連結前の状態において、前記フロント布の前記左側端縁に対応する前記端縁が外側に向けて湾曲していることを特徴とする、請求項１に記載されたボトム衣類。
【発明の詳細な説明】
【技術分野】
【０００１】
本発明は、少なくとも下半身の一部を被覆する股付きのボトム衣類、特に、体に密着して着用するボトム衣類に関する。
【背景技術】
【０００２】
従来から、特にお腹周りを中心として、自分の体型を美しく見せたいという強いニーズがある。このようなニーズに応えるための技術として、例えば下記特許文献１に記載されたガードルが知られている。
【０００３】
このガードルは、腹部部分が伸縮性布地からなる腹部充当部片で構成されており、前中心丈が後中心丈よりも短くなっている。そのため、着用者が座位姿勢の場合には、ガードルの前中心丈が短めの寸法となる一方、着用者が立位姿勢の場合には、腹部充当部片が上下方向に沿って伸暢し、ガードルの前中心丈が長めの寸法となる。このとき、腹部充当部片が上下方向に沿って伸暢することにより応力が増大するので、腹部充当部片によって腹部が押えられ、腹部形状の補整機能が発揮される。そのため、下記特許文献１に記載されたガードルは、座位姿勢と立位姿勢との間における運動追従性に優れている。
【特許文献１】特許第２９２１７３５号（特開平８−１２０５０５号公報）
【発明の開示】
【発明が解決しようとする課題】
【０００４】
ところで、人間の運動は、座位姿勢と立位姿勢との間における運動のみならず、日常動作、歩行、ランニング等多岐にわたって存在する。そして、これらの運動後には、ボトム衣類の腰部のずり下がりやボトム衣類の下縁部（裾部）の捲り上がり等が発生することで、着用感が損なわれてしまう虞がある。そのため、多種の運動に対しても運動追従性に優れたボトム衣類の実現が望まれている。
【０００５】
そこで、本発明は、体型補整機能を発揮しつつ、多種の運動に対しても運動追従性に優れたボトム衣類を提供することを目的とする。
【課題を解決するための手段】
【０００６】
本発明に係るボトム衣類は、少なくとも下半身の一部を被覆する股付きのボトム衣類であって、着用状態において下腹部を被覆するフロント布と、着用状態において右大腿部、右臀部及び右腰部を被覆する右大腿部被覆布と、着用状態において左大腿部、左臀部及び左腰部を被覆する左大腿部被覆布とを備え、フロント布は、右大腿部被覆布及び左大腿部被覆布よりも伸縮し難く、フロント布の上縁は、前中心と後中心とが重なるようにした状態において、臍よりも下方で且つ背側における右大腿部被覆布及び左大腿部被覆布の上縁よりも下方に位置し、フロント布の右側端縁と該右側端縁に対応する右大腿部被覆布の端縁とが縫い合わされることで、大腿部の付根近傍から始まり上方に向かうにつれて外側寄りに向かいつつ腹側における上縁に達する右側ダーツが構成され、フロント布の左側端縁と該左側端縁に対応する左大腿部被覆布の端縁とが縫い合わされることで、大腿部の付根近傍から始まり上方に向かうにつれて外側寄りに向かいつつ腹側における上縁に達する左側ダーツが構成されていることを特徴とする。
【０００７】
本発明に係るボトム衣類では、フロント布が右大腿部被覆布及び左大腿部被覆布よりも伸縮し難くなっており、大腿部の付根近傍から始まり上方に向かうにつれて外側寄りに向かいつつ腹側における上縁に達する右側ダーツが構成され、大腿部の付根近傍から始まり上方に向かうにつれて外側寄りに向かいつつ腹側における上縁に達する左側ダーツが構成されている。そのため、着用時に右大腿部被覆布がフロント布よりも伸暢して、主としてフロント布の右側端縁に対して直交する方向に沿う応力が右大腿部被覆布に発生すると共に、着用時に左大腿部被覆布がフロント布よりも伸暢して、主としてフロント布の左側端縁に対して直交する方向に沿う応力が左大腿部被覆布に発生する。このとき、フロント布の右側端縁に対して直交する方向は、着用状態において右臀部の下縁に沿う方向となり、フロント布の左側端縁に対して直交する方向は、着用状態において左臀部の下縁に沿う方向となる。そのため、着用状態において、右臀部及び左臀部が右大腿部被覆布及び左大腿部被覆布によってそれぞれしっかりと支えられることとなるので、ヒップアップ機能が発揮されることとなる。
【０００８】
また、本発明に係るボトム衣類では、フロント布の上縁が、前中心と後中心とが重なるようにした状態において、臍よりも下方で且つ背側における右大腿部被覆布及び左大腿部被覆布の上縁よりも下方に位置している。つまり、着用状態において、フロント布によって主として下腹部が被覆される。ここで、フロント布が相対的に伸縮し難くなっていることから、着用時に、右大腿部被覆布及び左大腿部被覆布がフロント布よりも伸暢することに伴い、フロント布が臀部側、すなわち、背側に引っ張られる。そのため、最も膨出しがちな下腹部が相対的に伸縮し難いフロント布によって引き締められるので、お腹周りに関して美しいボディラインを作り出すことが可能となる。
【０００９】
また、本発明に係るボトム衣類では、フロント布の上縁が、前中心と後中心とが重なるようにした状態において、臍よりも下方で且つ背側における右大腿部被覆布及び左大腿部被覆布の上縁よりも下方に位置している。つまり、着用状態において、背側における右大腿部被覆布及び左大腿部被覆布によって右臀部及び左臀部の大部分が被覆される。そのため、ボリュームのある右臀部及び左臀部が右大腿部被覆布及び左大腿部被覆布によってそれぞれ安定して包み込まれる。従って、右大腿部被覆布及び左大腿部被覆布が相対的に伸縮し易くなっていると共にフロント布が下腹部を引き締めていることと相俟って、各種運動後であっても、ボトム衣類の上縁部（腰部）のずり下がりが発生し難くなっている。
【００１０】
また、本発明に係るボトム衣類は、少なくとも下半身の一部を被覆する股付きのボトム衣類、いわゆる、セミロングタイプやロングタイプ（ショートタイプよりも丈の長さが長いタイプ）のボトム衣類となっている。そのため、運動に伴う大腿部における筋肉の弛緩及び収縮があっても、ボトム衣類の下縁部（裾部）が影響を受け難い。従って、各種運動後であっても、ボトム衣類の下縁部（裾部）の捲り上がりが発生し難くなっている。以上より、ヒップアップ機能や下腹部の引き締め機能といった体型補整機能を発揮しつつ、多種の運動に対しても運動追従性に優れ、着用感の良好なボトム衣類を提供することができる。
【００１１】
好ましくは、フロント布の右側端縁及び左側端縁は、縫合前の状態においてそれぞれ内側に向けて湾曲し、右大腿部被覆布は、縫合前の状態において、フロント布の右側端縁に対応する端縁が外側に向けて湾曲し、左大腿部被覆布は、縫合前の状態において、フロント布の左側端縁に対応する端縁が外側に向けて湾曲している。このようにすると、主としてフロント布の右側端縁に対して直交する方向に沿って発生する応力及び主としてフロント布の左側端縁に対して直交する方向に沿って発生する応力がより大きくなる。そのため、ヒップアップ機能をより向上させることが可能となる。
【００１２】
なお、本明細書でいう体に密着する衣類とは、体の表面に直接に接して密着する場合に限らず、他の下着類を介して体に密着する場合も含むものである。
【発明の効果】
【００１３】
本発明によれば、体型補整機能を発揮しつつ、多種の運動に対しても運動追従性に優れたボトム衣類を提供することができる。
【発明を実施するための最良の形態】
【００１４】
本発明に係る股付きのボトム衣類の好適な実施形態について、図面を参照して説明する。なお、以下では、ボトム衣類として女性用の股付きのガードル（ロングタイプガードル）１を例にとって説明している。また、以下で説明するガードル１の寸法は、ガードル１のサイズが６４である場合の値であり、後述する角θ１，θ２の大きさ及び縫い代Ｍ１〜Ｍ７の各幅Ｗ１〜Ｗ７を除き、ガードル１のサイズに応じて異なる。すなわち、角θ１，θ２の大きさ及び縫い代Ｍ１〜Ｍ７の各幅Ｗ１〜Ｗ７は、ガードル１のサイズによらず同じ値となる。
【００１５】
ガードル１は、股下丈が１７ｃｍ〜１９ｃｍ程度のロングタイプのガードルであり、下腹部から膝上近傍までを被覆する。ガードル１は、図１〜図４に示されるように、フロント布１０と、右大腿部被覆布１２と、左大腿部被覆布１４と、帯状部材１６とを備えており、矢状面に対して略対称となっている。
【００１６】
フロント布１０は、図１に示されるように、着用状態において、下腹部から股間の近傍までを被覆している。フロント布１０は、図５に示されるように、右側端縁１０ａと、左側端縁１０ｂと、腹側端縁１０ｃと、股間側端縁１０ｄとを有している。
【００１７】
右側端縁１０ａ及び左側端縁１０ｂは、縫合前の状態において、上下方向における略中央部分に頂部を形成するようにそれぞれ内側に向けて湾曲している。腹側端縁１０ｃは、縫合前の状態において、左右方向における略中央部分に頂部を形成するように下側（股間側端縁１０ｄ）側に向けて若干湾曲している。股間側端縁１０ｄは、縫合前の状態において、左右方向における略中央部分に頂部を形成するように腹側端縁１０ｃから離れる方向に向けて湾曲している
【００１８】
フロント布１０には、右側端縁１０ａ、左側端縁１０ｂ及び股間側端縁１０ｄに沿うように、縫い代Ｍ１が設けられている。フロント布１０は、薄くて張りがあり、経緯に伸縮性を有するツーウェイ素材によって構成することができる。
【００１９】
本実施形態において、前中心線Ｃ１から右側端縁１０ａの上端点Ｐ１までの直線距離Ｒ１及び前中心線Ｌから左側端縁１０ｂの上端点Ｐ２までの直線距離Ｌ１は、それぞれ７．５ｃｍ程度となるように設定されている。前中心線Ｃ１から右側端縁１０ａのうち最も窪んでいる点Ｐ３までの直線距離Ｒ２及び前中心線Ｃ１から左側端縁１０ｂのうち最も窪んでいる点Ｐ４までの直線距離Ｌ２は、それぞれ３．７ｃｍ程度となるように設定されている。
【００２０】
前中心線Ｃ１から右側端縁１０ａの下端点Ｐ５までの直線距離Ｒ３及び前中心線Ｌから左側端縁１０ｂの下端点Ｐ６までの直線距離Ｌ３は、それぞれ４．３ｃｍ程度となるように設定されている。前中心線Ｃ１におけるフロント布１０の長さＨ１は、２４．１ｃｍ程度となるように設定されている。縫い代Ｍ１の幅Ｗ１は、０．５ｃｍ程度となるように設定されている。
【００２１】
ここで、フロント布１０の内面には、図６の（ａ）に示される下腹部当布１８及び図６の（ｂ）に示される股部当布２０が縫着されている。そのため、フロント布１０、下腹部当布１８及び股部当布２０が一体となって、右大腿部被覆布１２及び左大腿部被覆布１４よりも伸縮し難くなっている。
【００２２】
下腹部当布１８は、フロント布１０の上部と略同一形状を呈している。下腹部当布１８は、右側端縁１８ａと、左側端縁１８ｂと、腹側端縁１８ｃと、股間側端縁１８ｄとを有している。下腹部当布１８には、右側端縁１８ａ及び左側端縁１８ｂにそれぞれ沿うように、一対の縫い代Ｍ２が設けられている。下腹部当布１８は、フロント布１０と同一の素材によって構成することができる。
【００２３】
本実施形態において、前中心線Ｃ１における下腹部当布１８の長さＨ２は、１５．７ｃｍ程度となるように設定されている。縫い代Ｍ２の幅Ｗ２は、０．５ｃｍ程度となるように設定されている。
【００２４】
股部当布２０は、フロント布１０の下部と略同一形状を呈している。股部当布２０は、右側端縁２０ａと、左側端縁２０ｂと、腹側端縁２０ｃと、股間側端縁２０ｄとを有している。股部当布２０には、右側端縁２０ａ、左側端縁２０ｂ及び下側端縁２０ｃにかけて縫い代Ｍ３が設けられている。股部当布２０は、通気性の良い天竺素材によって構成することができる。
【００２５】
本実施形態において、前中心線Ｃ１における股部当布２０の長さＨ３は、１１．５ｃｍ程度となるように設定されている。縫い代Ｍ３の幅Ｗ３は、０．５ｃｍ程度となるように設定されている。
【００２６】
右大腿部被覆布１２は、図１〜図４に示されるように、着用状態において、右大腿部のうち膝よりも上方の部分、右臀部及び右腰部を被覆している。右大腿部被覆布１２は、図５に示されるように、内股側端縁１２ａ，１２ｂと、上側端縁１２ｃと、内股側端縁１２ｂ及び上側端縁１２ｃと連続的に繋がる背側端縁１２ｄと、内股側端縁１２ａ及び上側端縁１２ｃと連続的に繋がると共にフロント布１０の右側端縁１０ａに対応する端縁１２ｅと、内股側端縁１２ｂ及び端縁１２ｅと連続的に繋がる下側端縁１２ｆとを有する。
【００２７】
内股側端縁１２ａは、縫合前の状態において、その上端寄りに頂部を形成するように内股側端縁１２ｂ及び背側端縁１２ｄに向けて湾曲している。端縁１２ｅは、縫合前の状態において、その略中央部分に頂部を形成するように外側に向けて湾曲している。下側端縁１２ｆは、縫合前の状態において、その略中央部分に頂部を形成するように上側（上側端縁１２ｃ）に向けて湾曲している。内股側端縁１２ｂ及び上側端縁１２ｃは、共に略直線状とされている。
【００２８】
右大腿部被覆布１２には、内股側端縁１２ａ及び背側端縁１２ｄにそれぞれ縫い代Ｍ４，Ｍ５が設けられている。なお、右大腿部被覆布１２は、フロント布１０と同一の素材によって構成することができる。
【００２９】
本実施形態において、内股側端縁１２ａの上端点Ｑ１１との下端点Ｑ１２とのラインＱ１１−Ｑ１２は、２４．９ｃｍ程度となるように設定されている。内股側端縁１２ｂの上端点Ｑ１３との下端点Ｑ１４とのラインＱ１３−Ｑ１４は、２９．０ｃｍ程度となるように設定されている。上側端縁１２ｃの上端点Ｑ１５との下端点Ｑ１６とのラインＱ１５−Ｑ１６は、２２．２ｃｍ程度となるように設定されている。
【００３０】
背側端縁１２ｄの上端点（上側端縁１２ｃの上端点）Ｑ１５と下端点（内股側端縁１２ｂの上端点）Ｑ１３とのラインＱ１５−Ｑ１３は、１７．６ｃｍ程度となるように設定されている。端縁１２ｅの上端点（上側端縁１２ｃの下端点）Ｑ１６と下端点（内股側端縁１２ａの上端点）Ｑ１１とのラインＱ１６−Ｑ１１は、２３．７ｃｍ程度となるように設定されている。下側端縁１２ｆの端点（内股側端縁１２ａの下端点）Ｑ１２と端点（内股側端縁１２ｂの下端点）Ｑ１４とのラインＱ１２−Ｑ１４は、３１．７ｃｍ程度となるように設定されている。
【００３１】
右大腿部被覆布１２の上側端部１２ｃと水平線Ｈとが成す角θ１は、１４°程度となるように設定されている。縫い代Ｍ４の幅Ｗ４及び縫い代Ｍ５の幅Ｗ５は、共に０．５ｃｍ程度となるように設定されている。
【００３２】
左大腿部被覆布１４は、図１〜図３に示されるように、着用状態において、左大腿部のうち膝よりも上方の部分、左臀部及び左腰部を被覆している。左大腿部被覆布１４は、図５に示されるように、内股側端縁１４ａ，１４ｂと、上側端縁１４ｃと、内股側端縁１４ｂ及び上側端縁１４ｃと連続的に繋がる背側端縁１４ｄと、内股側端縁１４ａ及び上側端縁１４ｃと連続的に繋がると共にフロント布１０の左側端縁１０ａに対応する端縁１４ｅと、内股側端縁１４ｂ及び端縁１４ｅと連続的に繋がる下側端縁１４ｆとを有する。
【００３３】
内股側端縁１４ａは、縫合前の状態において、その上端寄りに頂部を形成するように内股側端縁１４ｂ及び背側端縁１４ｄに向けて湾曲している。端縁１４ｅは、縫合前の状態において、その略中央部分に頂部を形成するように外側に向けて湾曲している。下側端縁１４ｆは、縫合前の状態において、その略中央部分に頂部を形成するように上側（上側端縁１４ｃ）に向けて湾曲している。内股側端縁１４ｂ及び上側端縁１４ｃは、共に略直線状とされている。
【００３４】
左大腿部被覆布１４には、内股側端縁１４ａ及び背側端縁１４ｄにそれぞれ縫い代Ｍ６，Ｍ７が設けられている。なお、左大腿部被覆布１４は、フロント布１０と同一の素材によって構成することができる。
【００３５】
本実施形態において、内股側端縁１４ａの上端点Ｑ２１との下端点Ｑ２２とのラインＱ２１−Ｑ２２の長さは、右大腿部被覆布１２におけるラインＱ１１−Ｑ１２の長さと略同一である。内股側端縁１４ｂの上端点Ｑ２３との下端点Ｑ２４とのラインＱ２３−Ｑ２４の長さは、右大腿部被覆布１２におけるラインＱ１３−Ｑ１４の長さと略同一である。上側端縁１４ｃの上端点Ｑ２５との下端点Ｑ２６とのラインＱ２５−Ｑ２６の長さは、右大腿部被覆布１２におけるラインＱ１５−Ｑ１６の長さと略同一である。
【００３６】
背側端縁１４ｄの上端点（上側端縁１４ｃの上端点）Ｑ２５と下端点（内股側端縁１４ｂの上端点）Ｑ２３とのラインＱ２５−Ｑ２３の長さは、右大腿部被覆布１２におけるラインＱ１５−Ｑ１３の長さと略同一である。端縁１４ｅの上端点（上側端縁１４ｃの下端点）Ｑ２６と下端点（内股側端縁１４ａの上端点）Ｑ２１とのラインＱ２６−Ｑ２１の長さは、右大腿部被覆布１２におけるラインＱ１６−Ｑ１１の長さと略同一である。下側端縁１４ｆの端点（内股側端縁１４ａの下端点）Ｑ２２と端点（内股側端縁１４ｂの下端点）Ｑ２４とのラインＱ２２−Ｑ２４の長さは、右大腿部被覆布１２におけるラインＱ１２−Ｑ１４の長さと略同一である。
【００３７】
左大腿部被覆布１４の上側端部１４ｃと水平線Ｈとが成す角θ２の大きさは、右大腿部被覆布１２における角度θ１の大きさと略同一である。縫い代Ｍ６の幅Ｗ６及び縫い代Ｍ７の幅Ｗ７は、右大腿部被覆布１２における縫い代Ｍ４の幅Ｗ４及び縫い代Ｍ５の幅Ｗ５と略同一である。
【００３８】
帯状部材１６は、図１〜図４に示されるように、ガードル１の装飾のために、ガードル１の上端（フロント布１０の腹側端縁１０ｃ、右大腿部被覆布１２の上側端縁１２ｃ及び左大腿部被覆布１４の上側端縁１４ｃ）周りに設けられている。
【００３９】
ここで、図５を参照して、ガードル１の製造方法（フロント布１０、右大腿部被覆布１２及び左大腿部被覆布１４の縫製方法）について説明する。
【００４０】
まず、フロント布１０のうち右側端縁１０ａの上端点Ｐ１から縫い代Ｍ１だけ内側における点Ｐ１´と右側端縁１０ａの下端点Ｐ５から縫い代Ｍ１だけ内側における点Ｐ５´とのラインＰ１´−Ｐ５´が、右大腿部被覆布１２のうち端縁１２ｅの上端点Ｑ１６と下端点Ｑ１１とのラインＱ１６−Ｑ１１に重なるようにして、フロント布１０と右大腿部被覆布１２とを縫合する。これにより、図１及び図３に示されるように、右大腿部の付根近傍から始まり上方に向かうにつれて外側寄りに向かいつつ腹側における右大腿部被覆布１２の上側端縁１２ｃに達する右側ダーツＤ１が構成される。なお、ラインＰ１´−Ｐ５´の長さとラインＱ１６−Ｑ１１の長さとは、略同一である。
【００４１】
続いて、フロント布１０のうち左側端縁１０ｂの上端点Ｐ２から縫い代Ｍ１だけ内側における点Ｐ２´と左側端縁１０ｂの下端点Ｐ６から縫い代Ｍ１だけ内側における点Ｐ６´とのラインＰ２´−Ｐ６´が、左大腿部被覆布１４のうち端縁１４ｅの上端点Ｑ２６と下端点Ｑ２１とのラインＱ２６−Ｑ２１に重なるようにして、フロント布１０と左大腿部被覆布１４とを縫合する。これにより、図１及び図３に示されるように、左大腿部の付根近傍から始まり上方に向かうにつれて外側寄りに向かいつつ腹側における左大腿部被覆布１４の上側端縁１４ｃに達する左側ダーツＤ２が構成される。なお、ラインＰ２´−Ｐ６´の長さとラインＱ２６−Ｑ２１の長さとは、略同一である。
【００４２】
続いて、右大腿部被覆布１２のうち背側端縁１２ｄの上端点Ｑ１５から縫い代Ｍ５だけ内側における点Ｑ１５´と背側端縁１２ｄの下端点Ｑ１３から縫い代Ｍ５だけ内側における点Ｑ１３´とのラインＱ１５´−Ｑ１３´が、左大腿部被覆布１４のうち背側端縁１４ｄの上端点Ｑ２５から縫い代Ｍ７だけ内側における点Ｑ２５´と背側端縁１４ｄの下端点Ｑ２３から縫い代Ｍ５だけ内側における点Ｑ２３´とのラインＱ２５´−Ｑ２３´に重なるようにして、右大腿部被覆布１２と左大腿部被覆布１４とを縫合する。これにより、図２に示されるように、臀溝に沿って延びる接ぎラインＤ３が構成される。
【００４３】
続いて、フロント布１０のうち右側端縁１０ａの下端点Ｐ５から縫い代Ｍ１だけ内側における点Ｐ５´と股間側端縁１０ｄの中間点から縫い代Ｍ１だけ内側における点Ｐ７との
ラインＰ５´−Ｐ７が、右大腿部被覆布１２のうち背側端縁１２ｄの下端点Ｑ１３から縫い代Ｍ５だけ内側における点Ｑ１３´と内股側端縁１２ｂの上側近傍における点Ｑ１７とのラインＱ１３´−Ｑ１７に重なるようにして、フロント布１０と右大腿部被覆布１２とを縫合する。また、フロント布１０のうち左側端縁１０ｂの下端点Ｐ６から縫い代Ｍ１だけ内側における点Ｐ６´と股間側端縁１０ｄの中間点から縫い代Ｍ１だけ内側における点Ｐ７とのラインＰ６´−Ｐ７が、左大腿部被覆布１４のうち背側端縁１４ｄの下端点Ｑ２３から縫い代Ｍ７だけ内側における点Ｑ２３´と内股側端縁１４ｂの上側近傍における点Ｑ２７とのラインＱ２３´−Ｑ２７に重なるようにして、フロント布１０と左大腿部被覆布１４とを縫合する。これにより、股間部分において接ぎライン（図示せず）が構成される。なお、ラインＰ５´−Ｐ７の長さとラインＱ１３´−Ｑ１７の長さとは、略同一であり、ラインＰ６´−Ｐ７の長さとラインＱ２３´−Ｑ２７の長さとは、略同一である。
【００４４】
続いて、右大腿部被覆布１２のうち内股側端縁１２ａの上端点Ｑ１１から縫い代Ｍ４だけ内側における点Ｑ１１´と内股側端縁１２ａの下端点Ｑ１２から縫い代Ｍ４だけ内側における点Ｑ１２´とのラインＱ１１´−Ｑ１２´が、右大腿部被覆布１２のうち内股側端縁１２ｂの上側近傍における点Ｑ１７と内股側端縁１２ｂの下端点Ｑ１４とのラインＱ１７−Ｑ１４に重なるようにして、右大腿部被覆布１２の内股側端縁１２ａ側部分と内股側端縁１２ｂ側部分とを縫合する。これにより、右大腿部の内股部分において上下方向に延在する接ぎライン（図示せず）が構成される。なお、ラインＱ１１´−Ｑ１２´の長さとラインＱ１７−Ｑ１４の長さとは、略同一である。
【００４５】
続いて、左大腿部被覆布１４のうち内股側端縁１４ａの上端点Ｑ２１から縫い代Ｍ６だけ内側における点Ｑ２１´と内股側端縁１４ａの下端点Ｑ２２から縫い代Ｍ６だけ内側における点Ｑ２２´とのラインＱ２１´−Ｑ２２´が、左大腿部被覆布１４のうち内股側端縁１４ｂの上側近傍における点Ｑ２７と内股側端縁１４ｂの下端点Ｑ２４とのラインＱ２７−Ｑ２４に重なるようにして、左大腿部被覆布１４の内股側端縁１４ａ側部分と内股側端縁１４ｂ側部分とを縫合する。これにより、左大腿部の内股部分において上下方向に延在する接ぎラインＤ４（図３参照）が構成される。なお、ラインＱ２１´−Ｑ２２´の長さとラインＱ２７−Ｑ２４の長さとは、略同一である。
【００４６】
その後、帯状部材１６をフロント布１０の腹側端縁１０ｃ、右大腿部被覆布１２の上側端縁１２ｃ及び左大腿部被覆布１４の上側端縁１４ｃの周りに沿って設けることで、ガードル１が完成する。ここで、右大腿部被覆布１２の上側端部１２ｃと水平線Ｈとが成す角θ１が２０°程度となるように設定されており、左大腿部被覆布１４の上側端部１４ｃと水平線Ｈとが成す角θ２が２０°程度となるように設定されているので、完成したガードル１の前中心と後中心とが重なるようにした状態において、フロント布１０の腹側端縁１０ｃが、臍よりも下方に位置すると共に、背側における右大腿部被覆布１２の上側端縁１２ｃ及び背側における左大腿部被覆布１４の上側端縁１４ｃよりも下方に位置することとなる（図３及び図４参照）。
【００４７】
以上のような本実施形態においては、フロント布１０が右大腿部被覆布１２及び左大腿部被覆布１４よりも伸縮し難くなっており、大腿部の付根近傍から始まり上方に向かうにつれて外側寄りに向かいつつ腹側における右大腿部被覆布１２の上側端縁１２ｃに達する右側ダーツＤ１が構成され、大腿部の付根近傍から始まり上方に向かうにつれて外側寄りに向かいつつ腹側における左大腿部被覆布１４の上側端縁１４ｃに達する左側ダーツＤ２が構成されている。そのため、着用時に右大腿部被覆布１２がフロント布１０よりも伸暢して、主としてフロント布１０の右側端縁１０ａに対して直交する方向に沿う応力σ１（図１〜図５参照）が右大腿部被覆布１２に発生すると共に、着用時に左大腿部被覆布１４がフロント布１０よりも伸暢して、主としてフロント布１０の左側端縁１０ｂに対して直交する方向に沿う応力σ２（図１〜図３及び図５参照）が左大腿部被覆布１４に発生する。このとき、フロント布１０の右側端縁１０ａに対して直交する方向は、着用状態において右臀部の下縁に沿う方向となり、フロント布１０の左側端縁１０ｂに対して直交する方向は、着用状態において左臀部の下縁に沿う方向となる。そのため、着用状態において、右臀部及び左臀部が右大腿部被覆布１２及び左大腿部被覆布１４によってそれぞれしっかりと支えられることとなるので、ヒップアップ機能が発揮されることとなる。
【００４８】
また、本実施形態においては、ガードル１の前中心と後中心とが重なるようにした状態において、フロント布１０の腹側端縁１０ｃが、臍よりも下方に位置すると共に、背側における右大腿部被覆布１２の上側端縁１２ｃ及び背側における左大腿部被覆布１４の上側端縁１４ｃよりも下方に位置している（図３及び図４参照）。つまり、着用状態において、フロント布１０によって主として下腹部が被覆される。ここで、フロント布１０が相対的に伸縮し難くなっていることから、着用時に、右大腿部被覆布１２及び左大腿部被覆布１４がフロント布１０よりも伸暢することに伴い、フロント布１０が臀部側、すなわち、背側に引っ張られる。そのため、最も膨出しがちな下腹部が相対的に伸縮し難いフロント布１０によって引き締められるので、お腹周りに関して美しいボディラインを作り出すことが可能となる。
【００４９】
また、本実施形態においては、ガードル１の前中心と後中心とが重なるようにした状態において、フロント布１０の腹側端縁１０ｃが、臍よりも下方に位置すると共に、背側における右大腿部被覆布１２の上側端縁１２ｃ及び背側における左大腿部被覆布１４の上側端縁１４ｃよりも下方に位置している（図３及び図４参照）。つまり、着用状態において、背側における右大腿部被覆布１２及び左大腿部被覆布１４によって右臀部及び左臀部の大部分が被覆される。そのため、ボリュームのある右臀部及び左臀部が右大腿部被覆布１２及び左大腿部被覆布１４によってそれぞれ安定して包み込まれる。従って、右大腿部被覆布１２及び左大腿部被覆布１４が相対的に伸縮し易くなっていると共にフロント布１０が下腹部を引き締めていることと相俟って、各種運動後であっても、ガードル１の上縁部（腰部）のずり下がりが発生し難くなっている。
【００５０】
また、本実施形態においては、ガードル１が、股下丈が１７ｃｍ〜１９ｃｍ程度のロングタイプのガードルとなっており、下腹部から膝上近傍までを被覆している。そのため、運動に伴う大腿部における筋肉の弛緩及び収縮があっても、ガードル１の下縁部（裾部）が影響を受け難い。従って、各種運動後であっても、ガードル１の下縁部（裾部）の捲り上がりが発生し難くなっている。
【００５１】
以上より、本実施形態においては、ヒップアップ機能や下腹部の引き締め機能といった体型補整機能を発揮しつつ、多種の運動に対しても運動追従性に優れ、着用感の良好なガードル１を提供できることとなる。
【００５２】
さらに、本実施形態においては、フロント布１０の右側端縁１０ａ及び左側端縁１０ｂが、縫合前の状態においてそれぞれ内側に向けて湾曲し、右大腿部被覆布１２の端縁１２ｅが、縫合前の状態において外側に向けて湾曲し、左大腿部被覆布１４の端縁１４ｅが、縫合前の状態において外側に向けて湾曲している。そのため、主としてフロント布１０の右側端縁１０ａに対して直交する方向に沿って発生する応力σ１及び主としてフロント布１０の左側端縁１０ｂに対して直交する方向に沿って発生する応力σ２がより大きくなる。その結果、ヒップアップ機能をより向上させることが可能となっている。
【００５３】
またさらに、本実施形態においては、３枚の布（フロント布１０、右大腿部被覆布１２及び左大腿部被覆布１４）を縫合するだけでガードル１が構成される。つまり、本実施形態に係るガードル１は、このようなシンプルな構成で上記の種々の効果を得ることができるものであり、その秀出すること至大である。
【００５４】
以上、本発明の好適な実施形態について詳細に説明したが、本発明は上記した実施形態に限定されるものではない。例えば、本実施形態では３枚の布（フロント布１０、右大腿部被覆布１２及び左大腿部被覆布１４）を縫合することにより、ヒップアップ機能や下腹部の引き締め機能を有するガードル１を構成したが、これらの機能をより強化するため、当布を用いるようにしてもよい。
【００５５】
また、本実施形態では、フロント布１０の内面に下腹部当布１８及び股部当布２０を縫着することで、フロント布１０、下腹部当布１８及び股部当布２０が一体となって、右大腿部被覆布１２及び左大腿部被覆布１４よりも伸縮し難くしていたが、フロント布１０の素材として右大腿部被覆布１２及び左大腿部被覆布１４の素材よりも伸縮性の劣るものを用いるようにしてもよい。
【図面の簡単な説明】
【００５６】
【図１】図１は、本実施形態に係るボトム衣類を着用状態で示す正面図である。
【図２】図２は、本実施形態に係るボトム衣類を着用状態で示す背面図である。
【図３】図３は、本実施形態に係るボトム衣類を着用状態で示す前方斜視図である。
【図４】図４は、本実施形態に係るボトム衣類を着用状態で示す側面図である。
【図５】図５は、本実施形態に係るボトム衣類の一部を分解して示す図である。
【図６】図６の（ａ）は、下腹部当布を示す図であり、図６の（ｂ）は、股部当布を示す図である。
【符号の説明】
【００５７】
１…ガードル、１０…フロント布、１２…右大腿部被覆布、１４…左大腿部被覆布、１６…帯状部材、１８…下腹部当布、２０…股部当布。
【図１】
0005081053.tif 000002
【図２】
0005081053.tif 000003
【図３】
0005081053.tif 000004
【図４】
0005081053.tif 000005
【図５】
0005081053.tif 000006
【図６】
0005081053.tif 000007